(57)【要約】  【課題】ワイヤハーネスの分岐箇所における結束作業の作業性を向上させる。  【解決手段】断面コ字状で半円環形状の凹部１３、１４を設けたバンド保持部１１ａ、１２ａと、バンド保持部１１ａ、１２ａの下端面より突出した取付軸部１１ｂ、１２ｂと、取付軸部１１ｂ、１２ｂに形成された支軸嵌合部１１ｄ、１２ｄとを備えた結束バンド支持材１１、１２を左右対称に設け、結束バンド２０をバンド保持部１１ａ内に挿入して保持させ、結束バンド支持材１１、１２の支軸嵌合部１１ｄ、１２ｄを布線治具１の支軸１ａに嵌合させた状態で凹部１３、１４にワイヤハーネスＷ／Ｈを挿通させ、結束バンド支持材１１に保持された結束バンド２０を他方の結束バンド支持体１２に挿入し、たすき掛けした先端２２ｂをバンド係止部２１ａに挿入係止して、結束バンド２０をワイヤハーネスＷ／Ｈの支線Ｗ２を挟んでクロス状に締結させる。  【選択図】図４
2005317206.tif 000002
【特許請求の範囲】
【請求項１】
ワイヤハーネス組立作業台上において分岐位置に立設する布線治具の支軸に対して幹線の長さ方向の両側より着脱自在に組み付けるワイヤハーネス分岐結束用治具であって、
断面コ字状で下向き半円環形状の凹部を設けたバンド保持部と、該バンド保持部の下端面よりＬ形状に突出させた取付軸部と、該取付軸部に形成された支軸嵌合部とを備えた形状の結束バンド支持材を、左右対称に備えた構成としており、
バンド係止部を有する結束バンドを、前記結束バンド支持材のバンド保持部内に着脱自在に挿入して保持させておき、これら結束バンド支持材を前記布線治具に対して隣接する両側位置に配置して前記支軸に前記支軸嵌合部を嵌合させて着脱自在に取り付けて、前記バンド保持部の凹部にワイヤハーネスの幹線を挿通させ、
前記一方の結束バンド支持材に保持された結束バンドを他方の結束バンド支持体に挿入し、たすき掛けした結束バンドの先端を前記バンド係止部に挿入係止して、結束バンドをワイヤハーネスの支線を挟んでクロス状にワイヤハーネス幹線に締結させる構成としているワイヤハーネス分岐結束用治具。
【請求項２】
前記左右対称の結束バンド支持材は別体とし、各結束バンド支持材の前記取付軸部の先端に前記布線治具の支軸の両側より外嵌する前記支軸嵌合部を備えた形状としている請求項１に記載ワイヤハーネス分岐結束用治具。
【請求項３】
前記左右対称の結束バンド支持材は一体的に連結しており、各結束バンド支持材の前記取付軸部を連結させ、該連結部に前記布線治具の支軸に嵌合する凹部を前記支軸嵌合部として設けている請求項１に記載のワイヤハーネス分岐結束用治具。
【発明の詳細な説明】
【技術分野】
【０００１】
本発明は、ワイヤハーネス分岐結束用治具に関し、ワイヤハーネスの幹線から支線が分岐する箇所において電線群を結束するための治具に関するものである。
【背景技術】
【０００２】
ワイヤハーネスの製造工程では、図８（Ａ）に示すように、ワイヤハーネス組立作業台上には支軸１ａの上端にＵ字受部１ｂを有する布線治具１が立設されており、ワイヤハーネスＷ／Ｈの幹線Ｗ１から支線Ｗ２が分岐している分岐部Ａが布線治具１のＵ字受部１ｂに挿通された状態で布線されている。
この分岐部ＡにはワイヤハーネスＷ／Ｈの分岐配索形態を維持するためにテープＴを結束する作業が行われるが、その際、布線治具１が邪魔になるため、図８（Ｂ）に示すように、布線治具１を下げてワイヤハーネスＷ／Ｈを布線治具１から取り外した状態でテープＴ巻き作業を行っている。その後、図８（Ｃ）に示すように、布線治具１を上に戻して再びワイヤハーネスＷ／Ｈを布線治具１上に載置して、図９に示すテープＴ巻き済みのワイヤハーネスＷ／Ｈが完了する。
【０００３】
しかしながら、前記した手順でワイヤハーネスＷ／Ｈの分岐結束作業を行うと、ワイヤハーネスＷ／Ｈを一旦は布線治具１から取り外してテープＴによる結束作業を行った後に再び布線治具１にセットし直すため、作業工数が増大する問題があった。また、テープ巻き作業は人間の手により行うので、テープＴを巻く位置等は作業者に委ねられ、作業者ごとに製品バラツキが生じる問題もあった。
【０００４】
なお、特開平１１−９８６５２号公報では、分岐部にハンドクリップを取り付けた後、ワイヤハーネスの幹線および枝線にテープを巻装しているが、分岐部でのテープ巻き作業においては電線保持具からワイヤハーネスを取り出さなければならない点には変わりがない。
【特許文献１】特開平１１−９８６５２号公報
【発明の開示】
【発明が解決しようとする課題】
【０００５】
本発明は、上記問題に鑑みてなされたもので、ワイヤハーネスの分岐箇所における結束作業の作業性を向上させることを課題としている。
【課題を解決するための手段】
【０００６】
上記課題を解決するため、本発明は、ワイヤハーネス組立作業台上において分岐位置に立設する布線治具の支軸に対して幹線の長さ方向の両側より着脱自在に組み付けるワイヤハーネス分岐結束用治具であって、
断面コ字状で下向き半円環形状の凹部を設けたバンド保持部と、該バンド保持部の下端面よりＬ形状に突出させた取付軸部と、該取付軸部に形成された支軸嵌合部とを備えた形状の結束バンド支持材を、左右対称に備えた構成としており、
バンド係止部を有する結束バンドを、前記結束バンド支持材のバンド保持部内に着脱自在に挿入して保持させておき、これら結束バンド支持材を前記布線治具に対して隣接する両側位置に配置して前記支軸に前記支軸嵌合部を嵌合させて着脱自在に取り付けて、前記バンド保持部の凹部にワイヤハーネスの幹線を挿通させ、
前記一方の結束バンド支持材に保持された結束バンドを他方の結束バンド支持体に挿入し、たすき掛けした結束バンドの先端を前記バンド係止部に挿入係止して、結束バンドをワイヤハーネスの支線を挟んでクロス状にワイヤハーネス幹線に締結させる構成としているワイヤハーネス分岐結束用治具を提供している。
【０００７】
前記構成とすると、一対の結束バンド支持材の断面コ字状のバンド保持部の内部空間を結束バンドの挿通路として用い、結束バンドのたすき掛け作業時において結束バンドの先端が結束バンド支持材の挿通路にガイドされてスムーズに巻き付けられるので、ワイヤハーネスを布線治具から外すことなく結束バンドをワイヤハーネスの分岐位置に結束することができ、作業性を向上させることができる。
また、前記結束バンド支持材は布線治具の支軸に嵌合して追加取り付けするだけであるので、布線治具は従来のものそのまま使用でき、既存設備に変更を加えることなく導入し易いという利点もある。
さらに、前記結束バンド支持材のバンド保持部内に結束バンドをワイヤハーネスの幹線周りに略Ｕ字状に保持させておくことができるので、結束作業中に作業者は結束バンドが脱落しないように保持しておく必要がなくなり、作業者ごとの能率の向上も期待できる。
【０００８】
前記左右対称の結束バンド支持材は別体とし、各結束バンド支持材の前記取付軸部の先端に前記布線治具の支軸の両側より外嵌する前記支軸嵌合部を備えた形状としていると好ましい。
【０００９】
前記構成とすると、一対の結束バンド支持材を別体とすることで、布線治具の周辺に支線等が入り組んでいたとしても、それぞれの結束バンド支持材を布線治具に対して容易に取り付けることができる。
【００１０】
あるいは、前記左右対称の結束バンド支持材は一体的に連結しており、各結束バンド支持材の前記取付軸部を連結させ、該連結部に前記布線治具の支軸に嵌合する凹部を前記支軸嵌合部として設けてもよい。
【００１１】
前記構成とすると、一対の結束バンド支持材が１部品となるので、部品点数を低減できると共に、一対の結束バンド支持材をワンタッチで布線治具の支軸に嵌合して取り付けすることができる。
【発明の効果】
【００１２】
以上の説明より明らかなように、本発明によれば、結束バンドのたすき掛け作業時において、結束バンドの先端が結束バンド支持材のバンド保持部内を挿通路としてガイドされるので、ワイヤハーネスを布線治具から外すことなく結束バンドをワイヤハーネスの分岐位置にスムーズに結束でき、作業性が向上する。また、結束バンド支持材は布線治具の支軸に嵌合して取り付けるアタッチメント方式としているので、従来の布線治具をそのまま使用できる。さらに、結束バンド支持材に結束バンドを保持させておくことができるので、結束作業中における作業者の両手の自由度が上がり、作業者ごとの作業能率も向上する。
【発明を実施するための最良の形態】
【００１３】
本発明の実施形態を図面を参照して説明する。
図１は第１実施形態のワイヤハーネス分岐結束用治具１０を示し、左右対称である一対の結束バンド支持材１１、１２から構成されている。
結束バンド支持材１１は合成樹脂で一体成形されており、断面コ字状で下向き半円環形状（略Ｕ字形状）の凹部１５を設けたバンド保持部１３と、バンド保持部１３の下端面よりＬ形状に突出させた取付軸部１６と、取付軸部１６に形成された支軸嵌合部１７とを備えている。
【００１４】
バンド保持部１３は他方の結束バンド１２に対向する面を開口させた断面コ字形状で、その内部空間を後述する結束バンド３０の挿通路１４としている。また、支軸嵌合部１７は他方の結束バンド１２に対向する側に略Ｕ形状に突出させた突出部１７ａ、１７ｂを備えており、両突出部１７ａ、１７ｂの間の幅は布線治具１の支軸１ａの外径よりも若干狭くしている。なお、支軸嵌合部１７は略Ｃ形状の突出させた形状としてもよく、その場合は支軸嵌合部の内径を布線治具１の支軸１ａの外径よりも若干小さくしておくと良い。
【００１５】
他方の結束バンド支持材１２についても上記と同様な構成であり、断面コ字状で下向き半円環形状（略Ｕ字形状）の凹部２０を設けたバンド保持部１８と、バンド保持部１８の下端面よりＬ形状に突出させた取付軸部２１と、取付軸部２１に形成された支軸嵌合部２２とを備えている。
【００１６】
ワイヤハーネスＷ／Ｈの分岐結束に用いる結束バンド３０は、図２に示すように、四角枠状の基部３１から帯状のバンド部３２を延在させており、基部３１は係止孔となるバンド係止部３１ａの内部に係止突起３１ｂを突出している一方、バンド部３２の外面には係止突起３１ｂとの係止用の係止山部３２ａを多数連続させている。
【００１７】
次に、本発明の分岐結束用治具１０を用いたワイヤハーネスＷ／Ｈの分岐部Ａの結束手順について説明する。
まず、図３に示すように、一方の結束バンド支持材１１のバンド保持部１３の挿通路１４に結束バンド３０を挿通保持させた状態で、基部３１とバンド部３２の先端３２ｂとをバンド保持部１３の上端からそれぞれ突出させる。
【００１８】
図４に示すように、ワイヤハーネス組立作業台（図示せず）上に立設された布線治具１のＵ字受部１ｂ内にはワイヤハーネスＷ／Ｈの分岐部Ａが設置されており、布線治具１の左右両側において一対の結束バンド支持材１１、１２の凹部１５、２０にワイヤハーネスＷ／Ｈの幹線Ｗ１を挿通させると共に、夫々の支軸嵌合部１７、２２を布線治具１の支軸１ａに対して外嵌して弾性保持させる。つまり、結束バンド支持材１１、１２は布線治具１に嵌合取り付けするアタッチメントであるので、布線治具１等の既存設備はそのまま利用できる。
【００１９】
次いで、作業者は図５に示すように、一方の結束バンド支持材１１に保持された結束バンド３０のバンド部３２を持って支線Ｗ２を挟んでクロス状に跨がせることにより、他方の結束バンド支持材１２のバンド保持部１８の一側の上端より挿通路１９にバンド先端３２ｂを差し込む。バンド保持部１８の挿通路１９にガイドされて幹線Ｗ１下方を跨ぐように進んだバンド先端３２ｂはバンド保持部１８の他側の上端から出現し、作業者はその先端３２ｂを持って支線Ｗ２を挟んでクロス状に跨ぎ戻すことにより、バンド先端３２ｂを基部３１のバンド係止部３１ａに挿通し、係止山部３２ａを係止突起３１ｂに係止させて締結する。
以上のようにすることで、図６に示すように、ワイヤハーネスＷ／Ｈの分岐部Ａを結束バンド３０を用いて容易にたすき掛けして結束することができる。
【００２０】
前記構成とすると、結束作業中において結束バンド３０は結束バンド支持材１１、１２のバンド保持部１３、１８に保持されるので、作業者は結束バンド３０が脱落しないように常に保持しながら作業を行う必要がなく、作業の確実性および能率の向上が図られる。
また、結束バンド３０のたすき掛け結束作業時において、結束バンド３０のバンド部３２の挿通路１４、１９が結束バンド支持材１１、１２により確保されているので、ワイヤハーネスＷ／Ｈを布線治具１から外すことなく結束バンド３０をワイヤハーネスＷ／Ｈの分岐部Ａに結束することができ、作業性が向上する。
【００２１】
図７は第２実施形態を示す。
第１実施形態との相違点は、左右対称のバンド保持部１３、１８を一体的に連結している点である。
【００２２】
本実施形態の分岐結束用治具４０は合成樹脂で一体成形されて、左右対称のバンド保持部１３、１８の下端から突出した取付軸部４１が一体的に連結されている。
バンド保持部１３、１８は第１実施形態と同様の形態で、断面コ字状で下向き半円環形状（略Ｕ字形状）の凹部１５、２０を設け、断面コ字状の内部空間を結束バンド３０の挿通路１４、１９としている。
取付軸部４１には、その中間部分を湾曲させた凹部４１ａを形成して支軸嵌合部とし、凹部４１ａの内径は布線治具１の支軸１ａの外径より若干小さくしており、凹部４１ａを支軸１ａに外嵌して弾性保持させるようにしている。
なお、他の構成は第１実施形態と同様であるため説明を省略する。
【図面の簡単な説明】
【００２３】
【図１】本発明の第１実施形態のワイヤハーネス分岐結束用治具の斜視図である。
【図２】結束バンドの平面図である。
【図３】結束バンド支持材に結束バンドを保持させた状態を示す斜視図である。
【図４】分岐結束作業を示す斜視図である。
【図５】分岐結束作業を示す上面図である。
【図６】分岐結束後のワイヤハーネスの要部拡大図である。
【図７】第２実施形態のワイヤハーネス分岐結束用治具の斜視図である。
【図８】（Ａ）（Ｂ）（Ｃ）は従来の分岐結束作業を説明する図面である。
【図９】従来の分岐結束後のワイヤハーネスの要部拡大図である。
【符号の説明】
【００２４】
１      布線治具
１ａ    支軸
１ｂ    Ｕ字受部
１０、４０    分岐結束用治具
１１、１２    結束バンド支持材
１３、１８    バンド保持部
１６、２１、４１    取付軸部
１４、１９    挿通路
１７、２２    支軸嵌合部
１５、２０    凹部
３０    結束バンド
３１    基部
３１ａ  バンド係止部
３１ｂ  係止突起
３２    バンド部
３２ａ  係止山部
３２ｂ  先端
Ｗ／Ｈ  ワイヤハーネス
Ｗ１    幹線
Ｗ２    支線
【図１】
2005317206.tif 000003
【図２】
2005317206.tif 000004
【図３】
2005317206.tif 000005
【図４】
2005317206.tif 000006
【図５】
2005317206.tif 000007
【図６】
2005317206.tif 000008
【図７】
2005317206.tif 000009
【図８】
2005317206.tif 000010
【図９】
2005317206.tif 000011